(57)【特許請求の範囲】
【請求項１】
携帯端末と、
一の番組について品質が異なる複数の記録番組を蓄積し、前記複数の記録番組のいずれかを複数のＩＰネットワークのいずれかを介して前記携帯端末に配信する記録再生装置と
を備え、
前記携帯端末及び前記記録再生装置のそれぞれは、
前記複数のＩＰネットワークとは異なる近距離無線通信ネットワークを用いて通信する近距離無線通信部を備え、
前記携帯端末または前記記録再生装置は、
前記近距離無線通信部同士の通信結果に基づいて、前記携帯端末と前記記録再生装置との間の距離を計測する距離計測部と、
前記距離計測部で計測された距離に基づいて、前記複数のＩＰネットワークのうち、前記記録番組の配信に用いるべきＩＰネットワークを選択し、前記複数の記録番組のうち、当該ＩＰネットワークで配信可能な最も高い前記品質の前記記録番組を、配信すべき前記記録番組として選択する選択部と
を備える、番組配信システム。
【請求項２】
請求項１に記載の番組配信システムであって、
前記複数のＩＰネットワークは、
インターネットと家庭内ネットワークとを含む第１のＩＰネットワークと、
前記インターネットを含まずに前記家庭内ネットワークを含む第２のＩＰネットワークとを含み、
前記選択部は、
前記距離計測部で計測された距離が予め定められた閾値以上である場合に、前記第１のＩＰネットワークを選択し、前記距離計測部で計測された距離が前記閾値よりも短い場合に、前記第２のＩＰネットワークを選択する、番組配信システム。
【請求項３】
請求項１または請求項２に記載の番組配信システムであって、
前記選択部は、
選択した前記ＩＰネットワークを用いて配信された場合にバッファアンダーフローが発生しない前記記録番組のうち、前記品質が最も高い前記記録番組を、前記配信すべき記録番組として選択する、番組配信システム。
【請求項４】
請求項１から請求項３のうちのいずれか１項に記載の番組配信システムであって、
前記距離計測部で計測された距離に基づいて前記記録再生装置と前記携帯端末とが一の室内に存在すると判定された場合に、前記携帯端末に配信されている前記記録番組と番組が同じであり、かつ、それよりも前記品質が高い前記記録番組を、前記記録再生装置で再生する、番組配信システム。
【請求項５】
請求項４に記載の番組配信システムであって、
前記距離計測部で計測された距離に基づいて前記記録再生装置と前記携帯端末とが一の室内に存在すると判定された場合に、前記携帯端末に配信されている前記記録番組と、選択した前記ＩＰネットワークの経路とを関連付けた配信履歴情報に基づいて、前記記録再生装置での再生を、前記携帯端末に配信されている前記記録番組の再生位置から行う、番組配信システム。
【発明の詳細な説明】
【技術分野】
【０００１】
本発明は、携帯端末と、ＩＰネットワークを介して携帯端末に例えばデジタル放送番組などの番組を配信する記録再生装置とを備える番組配信システムに関する。
【背景技術】
【０００２】
近年、家庭用光ファイバー網などのブロードバンド環境の普及に伴い、宅内の記録再生装置に記録したデジタル放送番組などのコンテンツを、インターネットを介して携帯端末などに配信し、携帯端末で視聴すること（以下、リモート視聴）が可能となっている。しかし、デジタル放送番組ではデジタル信号のビットレートが高いため、携帯端末にそのまま配信しても携帯端末で視聴することができない。
【０００３】
そこで、記録再生装置にデコーダ（復号化器）とエンコーダ（符号化器）とを搭載する技術が提案されている。具体的には、記録再生装置は、エンコード（符号化）されて放送されてきたデジタル信号を、デコーダによって一旦デコード（復号化）した後、デコードしたデジタル信号を、エンコーダによって、携帯端末などの配信に適した低いビットレートやフレームレート、符号化方式、画面サイズのデジタル信号にエンコードする。このような技術によれば、携帯端末におけるリモート視聴が可能となる。なお、一般的には、ビットレートが低いほど、インターネットを介した携帯端末などへの配信にも適している。
【０００４】
例えば特許文献１の技術では、記録再生装置に変換処理部を搭載し、番組再生中に所定の操作を行うことで、再生中の番組の一部を携帯端末に転送するためのデータに変換し、記録再生装置に内蔵された記録媒体に当該データを記録する。携帯端末では、変換処理された番組のみを含むリストを表示し、ユーザがリストから所望の番組を選択すると、変換データが記録再生装置からインターネットを介して携帯端末に転送される。このような技術によれば、デジタル放送番組などのコンテンツを、携帯端末に転送するためのデータに予め変換して記録再生装置に記録するので、リモート視聴を適宜行うことができる。
【先行技術文献】
【特許文献】
【０００５】
【特許文献１】特開２００９−７１７４５号公報
【発明の概要】
【発明が解決しようとする課題】
【０００６】
ここで、ユーザは、リモート視聴を行いながら帰宅し、その後もリモート視聴を継続しようとする場合がある。しかしながら特許文献１の技術では、帰宅前のリモート視聴には適するが、ビットレートが低く、インターネットなど通信速度を保証しにくい通信環境を、帰宅後にも維持してしまう。つまり、帰宅前だけでなく帰宅後にも、ビットレートが低い低品質状態でリモート視聴が継続されてしまうという問題がある。
【０００７】
一方、ユーザは、帰宅して記録再生装置が設置された室内に入室しているのであれば、リモート視聴を行わずに記録再生装置に記録番組を再生させることによって、ＩＰネットワークの通信品質に依存せずに高品質の記録番組を確実に視聴することができる。しかしながら、そのためには、記録再生装置に対して記録番組を再生する操作などを行わなければならず、手間がかかってしまい利便性が損なわれてしまうという問題がある。したがって、この点を鑑みれば、帰宅後にリモート視聴を継続することは有用である。
【０００８】
そこで、本発明は、上記のような問題点を鑑みてなされたものであり、例えばユーザが帰宅した場合などにおいて、高品質の記録番組をリモート視聴することが可能な技術を提供することを目的とする。
【課題を解決するための手段】
【０００９】
本発明に係る番組配信システムは、携帯端末と、一の番組について品質が異なる複数の記録番組を蓄積し、前記複数の記録番組のいずれかを複数のＩＰネットワークのいずれかを介して前記携帯端末に配信する記録再生装置とを備える。前記携帯端末及び前記記録再生装置のそれぞれは、前記複数のＩＰネットワークとは異なる近距離無線通信ネットワークを用いて通信する近距離無線通信部を備える。前記携帯端末または前記記録再生装置は、前記近距離無線通信部同士の通信結果に基づいて、前記携帯端末と前記記録再生装置との間の距離を計測する距離計測部と、前記距離計測部で計測された距離に基づいて、前記複数のＩＰネットワークのうち、前記記録番組の配信に用いるべきＩＰネットワークを選択し、前記複数の記録番組のうち、当該ＩＰネットワークで配信可能な最も高い前記品質の前記記録番組を、配信すべき前記記録番組として選択する選択部とを備える。
【発明の効果】
【００１０】
本発明によれば、例えばユーザが帰宅した場合などにおいて、高品質の記録番組をリモート視聴することができる。
【図面の簡単な説明】
【００１１】
【図１】実施の形態１に係る番組配信システムの概略構成を示すブロック図である。
【図２】実施の形態１に係る番組配信システムの動作を示すフローチャートである。
【発明を実施するための形態】
【００１２】
＜実施の形態１＞
＜全体構成＞
図１は、本発明の実施の形態１に係る番組配信システムの概略構成を示すブロック図である。本実施の形態１に係る番組配信システムは、記録再生装置１００と、携帯端末３００とを備えている。
【００１３】
記録再生装置１００は、一の番組について品質が異なる複数の記録番組を蓄積し、複数の記録番組のいずれかを複数のＩＰネットワークのいずれかを介して携帯端末３００に配信する。ここでは、複数のＩＰネットワークは、インターネット２００と家庭内ネットワーク２０１とを含む第１のＩＰネットワークと、インターネット２００を含まずに家庭内ネットワーク２０１を含む第２のＩＰネットワークとを含んでいる。以下、記録再生装置１００及び携帯端末３００の構成について詳細に説明する。
【００１４】
＜記録再生装置の構成＞
図１の記録再生装置１００の構成要素について詳細に説明する。外部アンテナ１０１は、複数のデジタル放送チャンネルを含むＲＦ（Radio Frequency）信号を受信する。チューナ部１０２は、外部アンテナ１０１が受信したＲＦ信号に、任意の放送電波周波数に関する同調処理と復調処理を行う。そして、チューナ部１０２は、それらの処理によって得られたデジタルデータから記録用トランスポートストリーム（以降、記録用ＴＳ）１０３を抽出して、トランスポートストリームデコーダ（以降、ＴＳデコーダ）１０４に対して出力する。
【００１５】
ＴＳデコーダ１０４は、受信した記録用ＴＳ１０３から後述する記録に必要な情報のみを含んだ記録用パーシャルトランスポートストリーム（以降、記録用パーシャルＴＳ）１０５を抽出し、ストリーム制御部１０６に対して出力する。
【００１６】
ストリーム制御部１０６は、ＴＳデコーダ１０４から受信した記録用パーシャルＴＳ１０５を番組蓄積部１１３に直接記録する（以降、この記録を「ストリーム直接記録」と記すこともある）。また、ストリーム制御部１０６は、番組視聴時にはＴＳデコーダ１０４から受信した記録用パーシャルＴＳ１０５を、番組再生時には番組蓄積部１１３から読み出した記録用パーシャルＴＳ１０５を、再生用パーシャルＴＳ１０７としてＡＶデコーダ１０８に対して出力する。
【００１７】
ＡＶデコーダ１０８では、再生用パーシャルＴＳ１０７をデコードし、それによって得られた再生用映像音声信号１１２を、外部のモニター（表示機器）やスピーカー等の映像音声出力装置（図示せず）に出力する。また、ＡＶデコーダ１０８は、受信した記録用パーシャルＴＳ１０５をデコードすることによって得られる映像音声信号を、必要に応じて再エンコード用映像音声信号１０９としてＡＶエンコーダ１１０に出力することもできる。
【００１８】
ＡＶエンコーダ１１０は、受信した再エンコード用映像音声信号１０９をエンコードして、記録用パーシャルＴＳ１０５よりもビットレートが低減された再エンコード記録用パーシャルトランスポートストリーム（以降、再エンコード記録用パーシャルＴＳ）１１１を生成する。ストリーム制御部１０６は、ＡＶエンコーダ１１０で生成された再エンコード記録用パーシャルＴＳ１１１を番組蓄積部１１３に記録する（以降、この記録を「再エンコード記録」と記すこともある）。以上のように構成された本実施の形態１に係る記録再生装置１００は、一の番組について品質が異なる複数の記録番組（記録用パーシャルＴＳ１０５及び再エンコード記録用パーシャルＴＳ１１１）を蓄積する。
【００１９】
操作指示受信部１３１は、リモコンや赤外線送信機等で構成される操作指示送信部１３０から送信されたユーザの操作命令を受信する。操作指示受信部１３１は、マイコンバス１２３を介してマイコン１２０に接続されており、受信した操作命令をマイコン１２０に出力する。
【００２０】
マイコン１２０は、例えばＣＰＵ（Central Processing Unit）などからなる。このマイコン１２０は、受信した操作命令に基づき、ＲＯＭ（Read Only Memory）部１２１に格納されたプログラムコードに従って動作し、ＲＡＭ（Random Access Memory）部１２２をワーク領域として使用する。マイコン１２０は、チューナ部１０２、ＴＳデコーダ１０４、ストリーム制御部１０６、ＡＶデコーダ１０８、ＡＶエンコーダ１１０、後述するネットワークインタフェース部１４０（以降、ネットワークＩ／Ｆ部１４０）、及び、後述する近距離無線通信部１４１を、マイコンバス１２３を介して制御可能に構成されている。
【００２１】
ネットワークＩ／Ｆ部１４０は、ＬＡＮ（Local Area Network）などの家庭内ネットワーク２０１に接続しており、宅内モデムやルーターなどの通信機器（図示せず）を介して、広域ネットワークであるインターネット２００に接続することができる。
【００２２】
記録再生装置１００のネットワークＩ／Ｆ部１４０は、インターネット２００と家庭内ネットワーク２０１とを含む第１のＩＰネットワークと、インターネット２００を含まずに家庭内ネットワーク２０１を含む第２のＩＰネットワークとのいずれかを介して、携帯端末３００と接続することができる。記録再生装置１００は、携帯端末３００からの要求に応じて、番組蓄積部１１３に記録された記録用パーシャルＴＳ１０５または再エンコード記録用パーシャルＴＳ１１１をデコードせずに携帯端末３００に送信する。以上のように構成された本実施の形態１に係る記録再生装置１００は、複数の記録番組（記録用パーシャルＴＳ１０５または再エンコード記録用パーシャルＴＳ１１１）のいずれかを、複数のＩＰネットワーク（第１及び第２のＩＰネットワーク）のいずれかを介して携帯端末３００に配信する。
【００２３】
携帯端末３００は、受信した記録番組（記録用パーシャルＴＳ１０５または再エンコード記録用パーシャルＴＳ１１１）、つまりストリームを内蔵のデコーダ（図示せず）にて復号する。携帯端末３００は、復号した記録番組を、携帯端末３００に接続または内蔵された映像音声出力装置（図示せず）に出力させる。この携帯端末３００については後述する。
【００２４】
説明を記録再生装置１００に戻す。記録再生装置１００は、近距離無線通信部１４１を備えている。この近距離無線通信部１４１は、上述の第１及び第２のＩＰネットワークとは異なる近距離無線通信ネットワークを用いて携帯端末３００と通信可能となっている。近距離無線通信ネットワークには、例えば、近接無線、Ｂｌｕｅｔｏｏｔｈ（登録商標）、ＮＦＣ（Near Field Communication）などによるネットワークが適用される。
【００２５】
＜携帯端末の構成＞
図１に示すように、携帯端末３００は、制御部３０１と、ネットワークインタフェース部３０２（以降、ネットワークＩ／Ｆ部３０２）と、近距離無線通信部３０３とを備えている。
【００２６】
ネットワークＩ／Ｆ部３０２は、第１及び第２のＩＰネットワークのいずれかを介してネットワークＩ／Ｆ部１４０と通信可能に構成されている。近距離無線通信部３０３は、近距離無線通信ネットワークを用いて近距離無線通信部１４１と通信可能に構成されている。
【００２７】
制御部３０１は、例えば携帯端末３００の図示しないＣＰＵなどからなり、ネットワークＩ／Ｆ部３０２及び近距離無線通信部３０３など、携帯端末３００の各構成要素を統括的に制御する。距離計測部３０１ａ及び選択部３０１ｂは、制御部３０１を構成する例えばＣＰＵなどが、図示しない半導体メモリなどの記憶装置に記憶されたプログラムを実行することにより、当該ＣＰＵの機能として実現される。
【００２８】
距離計測部３０１ａは、近距離無線通信部１４１と近距離無線通信部３０３との間の通信結果に基づいて、携帯端末３００と記録再生装置１００との間の距離を計測する。
【００２９】
選択部３０１ｂは、距離計測部３０１ａで計測された距離に基づいて、複数のＩＰネットワーク（第１及び第２のＩＰネットワーク）のうち、記録番組の配信に用いるべきＩＰネットワーク（経路）を選択する。また、選択部３０１ｂは、番組蓄積部１１３に蓄積されている複数の記録番組のうち、選択したＩＰネットワークで配信可能な最も高い品質の記録番組を、配信すべき記録番組として選択する。
【００３０】
携帯端末３００（制御部３０１）は、選択部３０１ｂの選択結果に基づき、ネットワークＩ／Ｆ部３０２を介して、記録再生装置１００との通信を行う。これにより、記録再生装置１００は、選択部３０１ｂで選択された配信方式で、記録番組を携帯端末３００に配信することが可能となる。
【００３１】
＜動作＞
次に、番組配信システムの動作（番組視聴、番組記録、番組再生、リモート視聴）について説明する。
【００３２】
＜番組視聴＞
記録再生装置１００を使用してデジタル放送番組の視聴を開始する場合、例えば、ユーザが操作指示送信部１３０より電源キーを押下すると、相当するキーコードが操作指示受信部１３１を経由してマイコン１２０に送信される。キーコードを受けたマイコン１２０は、放送番組の視聴動作を開始し、以下のように各構成要素を順に制御する。
【００３３】
まず、マイコン１２０はチューナ部１０２を制御し、その制御によりチューナ部１０２は、任意の（一般的には前回視聴した際に最後に選局していた）チャンネル周波数に同調させ、復調処理を開始する。復調処理が完了して記録用ＴＳ１０３が抽出されると、マイコン１２０はＴＳデコーダ１０４を制御し、その制御によりＴＳデコーダ１０４は、記録用ＴＳ１０３の中からＰＳＩ（Program Specific Information）情報と呼ばれる番組を特定するための情報を抽出して解析し、放送番組の映像信号や音声信号などのデータパケットをフィルタリングして記録用パーシャルＴＳ１０５を生成する。なおＴＳデコーダ１０４は、番組タイトルや番組ジャンルなどの番組属性を格納するＳＩ（Service Information）情報と呼ばれる番組配列情報を抽出して解析を行い、この解析結果も考慮して記録用パーシャルＴＳ１０５を生成してもよい。
【００３４】
次に、マイコン１２０はストリーム制御部１０６を制御し、その制御によりストリーム制御部１０６は、記録用パーシャルＴＳ１０５を再生用パーシャルＴＳ１０７としてそのままＡＶデコーダ１０８に送信する。それから、マイコン１２０はＡＶデコーダ１０８を制御し、その制御によりＡＶデコーダ１０８は、再生用パーシャルＴＳ１０７から再生用映像音声信号１１２を生成する。ここで、再生用パーシャルＴＳ１０７などのデジタル放送の映像音声は、例えばＭＰＥＧ（Moving Pictures Experts Group）２方式やＡＡＣ（Advanced Audio Coding）方式等の符号化方式を使用してデータ圧縮されている。このため、デジタル放送の映像音声は、ＡＶデコーダ１０８に内蔵されたＭＰＥＧ２デコーダやＡＡＣデコーダなどによって、非圧縮の映像音声信号である再生用映像音声信号１１２に復号される。復号された再生用映像音声信号１１２は、記録再生装置１００に接続された外部のモニターやスピーカー等の映像音声出力装置（図示せず）に出力され、映像音声出力装置が、当該再生用映像音声信号１１２に基づいて、映像及び音声の出力を行う。これにより、ユーザは任意のチャンネルで現在放送されている番組の映像と音声を視聴することができる。
【００３５】
＜番組記録＞
記録再生装置１００を使用して現在受信中のデジタル放送番組を記録する場合、例えば、ユーザが操作指示送信部１３０に設けられた録画キーを押下することにより、相当するキーコードが操作指示受信部１３１を経由してマイコン１２０に送信される。キーコードを受けたマイコン１２０は、放送番組の記録処理を開始し、以下のように各構成要素を順に制御する。
【００３６】
ここで、視聴を開始した段階でストリーム制御部１０６には、既に記録用パーシャルＴＳ１０５が入力されているので、マイコン１２０はストリーム制御部１０６を制御し、その制御によりストリーム制御部１０６は、番組蓄積部１１３に記録用パーシャルＴＳ１０５を記録する。以上の動作により、受信中のデジタル放送番組が「ストリーム直接記録」される。
【００３７】
また、視聴を開始した段階でストリーム制御部１０６は、ＴＳデコーダ１０４から受信した記録用パーシャルＴＳ１０５を、再生用パーシャルＴＳ１０７としてＡＶデコーダ１０８に対して出力しており、ＡＶデコーダ１０８では、再生用パーシャルＴＳ１０７をデコードして再生用映像音声信号１１２を生成している。マイコン１２０はＡＶデコーダ１０８を制御し、その制御によりＡＶデコーダ１０８は、生成された再生用映像音声信号１１２を、再エンコード用映像音声信号１０９としてＡＶエンコーダ１１０に出力する。マイコン１２０はＡＶエンコーダ１１０を制御し、その制御によりＡＶエンコーダ１１０は、受信した再エンコード用映像音声信号１０９をエンコードして再エンコード記録用パーシャルＴＳ１１１を生成する。
【００３８】
以上のようにＡＶデコーダ１０８及びＡＶエンコーダ１１０によって再エンコードを行うことにより、ストリーム仕様を変更することができる。具体的には、記録用パーシャルＴＳ１０５の符号化方式を変更したり、解像度やフレームレートを変更したりすることで、記録用パーシャルＴＳ１０５に比べてビットレートが低減された再エンコード記録用パーシャルＴＳ１１１を生成することができる。
【００３９】
次に、マイコン１２０はストリーム制御部１０６を制御し、その制御によりストリーム制御部１０６は、再エンコード記録用パーシャルＴＳ１１１を番組蓄積部１１３に記録する。以上の動作により、受信中のデジタル放送番組が「再エンコード記録」される。仮に記録用パーシャルＴＳ１０５を番組蓄積部１１３から消去して再エンコード記録用パーシャルＴＳ１１１を番組蓄積部１１３に記録した場合には、番組蓄積部１１３の記録容量を節約することができる。
【００４０】
リモート視聴を行わずに、受信中のデジタル放送番組を記録する場合、「ストリーム直接記録」及び「再エンコード記録」のいずれを行うかは、ユーザによって選択される。一般的には、画質を重視する場合には「ストリーム直接記録」、番組蓄積部１１３で消費するデータ容量を低く抑えたい場合には「再エンコード記録」が選択されることが多い。なお、「ストリーム直接記録」が選択された際はもちろん、「再エンコード記録」が選択された際も、記録再生装置１００で再生することを前提としたビットレートやフレームレート、符号化方式、画面サイズが選択される。
【００４１】
以上、番組記録動作を開始する場合について説明した。次に、番組記録動作を停止する場合について説明する。番組記録動作を停止する場合、ユーザが操作指示送信部１３０に設けられた停止キーを押下することにより、相当するキーコードが操作指示受信部１３１を経由してマイコン１２０に送信される。キーコードを受けたマイコン１２０は、現在実行中の番組記録動作の停止処理を開始する。
【００４２】
具体的には、マイコン１２０はストリーム制御部１０６を制御し、その制御によりストリーム制御部１０６は、番組蓄積部１１３への記録用パーシャルＴＳ１０５および再エンコード記録用パーシャルＴＳ１１１の記録を停止する。
【００４３】
以上、番組視聴動作及び番組記録動作について説明した。以上の説明では、それら動作の一例として、ユーザが操作指示送信部１３０を操作して番組視聴動作及び番組記録動作を開始した。しかしこれらの動作の開始はこれに限ったものではなく、例えば、予約に応じて開始してもよい。予約録画では、予め指定された番組の放送時刻に、自動的に記録再生装置１００を起動させて、指定された番組を受信して番組蓄積部１１３に記録する。予約録画においてデジタル放送番組を「ストリーム直接記録」するか、「再エンコード記録」するかは、例えば録画予約設定時にユーザによって選択される。
【００４４】
＜番組再生＞
記録再生装置１００を使用して記録済みのデジタル放送番組を再生する場合、例えば、ユーザが操作指示送信部１３０に設けられた再生キーを押下することにより、相当するキーコードが操作指示受信部１３１を経由してマイコン１２０に送信される。キーコードを受けたマイコン１２０は、放送番組の再生処理を開始し、以下のように各構成要素を順に制御する。
【００４５】
まず、マイコン１２０はストリーム制御部１０６を制御し、その制御によりストリーム制御部１０６は、記録済み番組ストリーム（番組蓄積部１１３に記録された記録用パーシャルＴＳ１０５または再エンコード記録用パーシャルＴＳ１１１）を読み出して、再生用パーシャルＴＳ１０７としてＡＶデコーダ１０８に送信する。マイコン１２０はＡＶデコーダ１０８を制御し、その制御によりＡＶデコーダ１０８は、受信した再生用パーシャルＴＳ１０７から再生用映像音声信号１１２を生成する。以降の動作は番組視聴動作と同様である。
【００４６】
なおここでは、番組再生動作として、ユーザが操作指示送信部１３０を操作して、記録済み番組ストリームを再生する例について説明した。しかしこれに限ったものではなく、例えば携帯端末３００が、ネットワークＩ／Ｆ部１４０または近距離無線通信部１４１を介して、マイコン１２０へ再生要求を伝達することによって、記録済み番組ストリームを再生するように構成してもよい。
【００４７】
このように構成することによって、携帯端末３００から所望の記録番組の記録用パーシャルＴＳ１０５または再エンコード記録用パーシャルＴＳ１１１を再生することが可能となる。
【００４８】
＜リモート視聴の記録再生装置の動作＞
記録再生装置１００で記録されたデジタル放送番組を、携帯端末３００側にてリモート視聴を行う場合、記録再生装置１００はデータ変換処理を行う。以下、記録再生装置１００によるデータ変換処理の動作について説明する。
【００４９】
まず、マイコン１２０はストリーム制御部１０６を制御し、その制御によりストリーム制御部１０６は、番組蓄積部１１３から、データ変換処理（リモート視聴）の対象となる番組の記録用パーシャルＴＳ１０５を読み出し、それを再生用パーシャルＴＳ１０７としてＡＶデコーダ１０８に対して出力する。次に、マイコン１２０はＡＶデコーダ１０８を制御し、その制御によりＡＶデコーダ１０８は、記録用パーシャルＴＳ１０５をデコードして得られた映像音声信号を、再エンコード用映像音声信号１０９としてＡＶエンコーダ１１０に出力する。マイコン１２０はＡＶエンコーダ１１０を制御し、その制御によりＡＶエンコーダ１１０は、受信した再エンコード用映像音声信号１０９をエンコードして再エンコード記録用パーシャルＴＳ１１１を生成する。
【００５０】
ＡＶデコーダ１０８及びＡＶエンコーダ１１０によって再エンコードを行うことにより、携帯端末３００側にてリモート視聴するのに適した形式にストリーム仕様を変更することができる。具体的には、記録用パーシャルＴＳ１０５の符号化方式を変更したり、解像度やフレームレートを変更したりすることで、記録用パーシャルＴＳ１０５に比べてビットレートが低減された再エンコード記録用パーシャルＴＳ１１１を生成することができる。
【００５１】
次に、マイコン１２０はストリーム制御部１０６を制御し、その制御によりストリーム制御部１０６は、再エンコード記録用パーシャルＴＳ１１１を番組蓄積部１１３に記録する。以上の動作により、記録済みのデジタル放送番組がリモート視聴用の番組に「データ変換処理」される。つまり、一の番組について品質が異なる複数の記録番組が番組蓄積部１１３に蓄積される。
【００５２】
なお、再エンコード記録と同様、リモート視聴用のデータ変換処理では上述したように、番組蓄積部１１３から読み出した記録済み番組ストリームを映像音声にデコードすることになる。このため、別の用途でＡＶデコーダ１０８を利用しているとき、例えば番組再生などの場合は、データ変換処理を行うことができない。したがって、データ変換処理は、例えば記録再生装置１００に対してユーザが記録再生装置１００の電源をオフした後の電源オフ期間など、別の用途が行われていないときに実行される。
【００５３】
＜リモート視聴の携帯端末の動作＞
記録再生装置１００で記録されたデジタル放送番組を、携帯端末３００側にてリモート視聴を行う場合、携帯端末３００は配信選択処理を行う。以下、携帯端末３００による配信選択処理の動作について説明する。
【００５４】
図２は、本実施の形態１に係る携帯端末３００による配信選択処理の動作を示すフローチャートである。以下、この図２を用いて携帯端末３００による配信選択処理の動作について説明する。
【００５５】
ステップＳ１にて、制御部３０１は近距離無線通信部３０３を制御し、その制御により近距離無線通信部３０３は、記録再生装置１００（近距離無線通信部１４１）と近距離無線通信を行う。ユーザの移動に伴って、記録再生装置１００と携帯端末３００との間の距離（以降、装置端末間距離）が時々刻々変化することが予想されるので、近距離無線通信のデータ送受信は定期的に行われる。
【００５６】
選択部３０１ｂは、近距離無線通信部１４１，３０３の通信結果に基づいて、近距離無線通信のデータ送受信が行えるか否かを判定する。行えると判定した場合にはステップＳ２に進み、行えないと判定した場合にはステップＳ４に進む。
【００５７】
ステップＳ２にて、距離計測部３０１ａは、近距離無線通信部１４１，３０３の定期的な近距離無線通信の結果に基づいて、装置端末間距離を計測する。例えば、距離計測部３０１ａは、記録再生装置１００からの近距離無線通信の電波強度などから、装置端末間距離を計測する。この場合、電波強度が強いほど、計測される装置端末間距離は短くなる。
【００５８】
ステップＳ３にて、選択部３０１ｂは、距離計測部３０１ａで計測された装置端末間距離が閾値以上であるか否かを判定する。装置端末間距離が閾値以上であると判定した場合にはステップＳ４に進み、装置端末間距離が閾値よりも短いと判定した場合にはステップＳ５に進む。
【００５９】
ステップＳ４に進んだ場合、つまり、近距離無線通信のデータ送受信が行えない、または、距離計測部３０１ａで計測された装置端末間距離が閾値以上である場合、選択部３０１ｂは、記録再生装置１００と携帯端末３００とが一の室内に存在しないと判定する。そして、この場合に、選択部３０１ｂは、インターネット２００及び家庭内ネットワーク２０１を含む第１のＩＰネットワークを選択する。その後、ステップＳ６に進む。
【００６０】
ステップＳ５に進んだ場合、つまり、近距離無線通信のデータ送受信が行うことができ、かつ、距離計測部３０１ａで計測された装置端末間距離が予め定められた閾値よりも短い場合、選択部３０１ｂは、記録再生装置１００と携帯端末３００とが一の室内に存在すると判定する。そして、この場合に、選択部３０１ｂは、インターネット２００を含まずに家庭内ネットワーク２０１を含む第２のＩＰネットワークを選択する。インターネット２００を介さない第２のＩＰネットワークでは、インターネット２００を介する第１のＩＰネットワークよりも通信環境が安定するので、ステップＳ５の通信環境はステップＳ４の通信環境よりも安定することになる。その後、ステップＳ６に進む。
【００６１】
ステップＳ６にて、選択部３０１ｂは、選択したＩＰネットワーク（以降、選択ＩＰネットワーク）を介して記録再生装置１００と接続した後、記録再生装置１００に対して、再生対象となる番組の記録番組（記録用パーシャルＴＳ１０５または再エンコード記録用パーシャルＴＳ１１１）の送信を要求する。
【００６２】
本実施の形態１では選択部３０１ｂは、その送信要求を以下のように行う。まず、選択部３０１ｂは、再生対象となる番組の記録番組として、最初に高品質の記録番組である記録用パーシャルＴＳ１０５を要求する。当該要求を受けた記録再生装置１００は、選択ＩＰネットワークを介して、記録用パーシャルＴＳ１０５を携帯端末３００に送信する。携帯端末３００は、当該記録用パーシャルＴＳ１０５の復号を行うことによって、高品質の記録番組を携帯端末３００に接続または内蔵された映像音声出力装置（図示せず）に出力させる。
【００６３】
ここで、選択ＩＰネットワークが、通信状態が比較的不安定な第１のＩＰネットワークである場合には、記録用パーシャルＴＳ１０５の送信及び復号を適切に行うことができないと想定される。そこで、以上の処理と並行して、選択部３０１ｂは、複数の記録番組（記録用パーシャルＴＳ１０５及び再エンコード記録用パーシャルＴＳ１１１）のうち、選択ＩＰネットワークで配信可能な最も高い品質の記録番組を、配信すべき記録番組として選択する。
【００６４】
具体的には、選択部３０１ｂは、記録再生装置１００から受信するデータのバッファリング状況などに基づいて、選択ＩＰネットワークの通信状況を判定する。そして、当該バッファリングにおいてアンダーフローが発生しない状況であれば、選択部３０１ｂは、継続して高品質の記録番組である記録用パーシャルＴＳ１０５を要求し、ステップＳ１に戻る。この結果、記録用パーシャルＴＳ１０５に基づく映像音声出力が、携帯端末３００側にて継続される。
【００６５】
一方、バッファリングにおいてアンダーフローが発生する状況であれば、制御部３０１は、取得済みのデータのうち、デコード可能な最小単位に満たない部分のデータを破棄し、選択部３０１ｂは、破棄されずに残ったデータの続きの再生位置となる部分から低品質の記録番組である再エンコード記録用パーシャルＴＳ１１１の送信を要求し、ステップＳ１に戻る。この結果、再エンコード記録用パーシャルＴＳ１１１に基づく映像音声出力が、携帯端末３００側にて行われる。
【００６６】
以上のように本実施の形態１では、選択部３０１ｂは、選択ＩＰネットワークを用いて配信された場合にバッファアンダーフローが発生しない記録番組のうち、品質が最も高い記録番組を、配信すべき記録番組として選択する。
【００６７】
＜まとめ＞
以上のように構成された本実施の形態１に係る番組配信システムによれば、記録再生装置１００から携帯端末３００への記録番組の配信において、適切なＩＰネットワークを用いるとともに、当該ＩＰネットワークで配信可能な最も高い品質の記録番組を配信する。したがって、例えばユーザが帰宅した場合などにおいて、高品質の記録番組をリモート視聴することができる。この結果、ユーザの利便性が向上するという効果も期待できる。
【００６８】
また本実施の形態１によれば、選択部３０１ｂは、選択ＩＰネットワークを用いて配信された場合にバッファアンダーフローが発生しない記録番組のうち、品質が最も高い記録番組を、配信すべき記録番組として選択する。これにより、ユーザは、可及的に高品質の記録番組をリモート視聴することができる。
【００６９】
＜変形例１＞
以上に説明した実施の形態１では、選択部３０１ｂは、近距離無線通信部１４１，３０３の通信結果に基づいて、記録再生装置１００と携帯端末３００とが一の室内に存在するか否かを判定した。しかしこれに限ったものではなく、選択部３０１ｂは、近距離無線通信部１４１，３０３の通信結果に基づいて、記録再生装置１００と携帯端末３００とが一の建屋内に存在するか否かを判定してもよい。
【００７０】
また、実施の形態１では、携帯端末３００側にて記録番組の映像音声を出力したが、記録再生装置１００側でも記録番組の映像音声を出力するようにしてもよい。例えば、装置端末間距離の閾値として、記録再生装置１００と携帯端末３００とが一の建屋内に存在すると判定される距離Ｌ１と、一の室内に存在すると判定される距離Ｌ２とを予め規定しておく。そして、装置端末間距離が距離Ｌ２よりも短い距離である場合に、携帯端末３００は、近距離無線通信またはＩＰネットワークによる通信によって記録再生装置１００に対し、携帯端末３００側で再生されている記録番組と同じ番組の記録番組を再生する要求を行う。この場合、記録再生装置１００は、当該要求を受けると、２つ以上の異なる品質で記録された記録番組のうち、もっとも高品質の記録番組を選択して番組再生する。
【００７１】
つまり、距離計測部３０１ａで計測された装置端末間距離に基づいて記録再生装置１００と携帯端末３００とが一の室内に存在すると判定された場合に、携帯端末３００に配信されている記録番組と番組が同じであり、かつ、それよりも品質が高い記録番組を記録再生装置１００でも再生するように構成してもよい。
【００７２】
このように構成することで、例えばユーザがリモート視聴しながら、記録再生装置１００が設置された部屋に入室した場合に、ユーザが、記録再生装置１００を操作しなくても、リモート視聴している記録番組と同じ番組であり、かつ、それよりも品質が高い記録番組を、記録再生装置１００に接続された外部の映像音声出力装置により視聴することができる。よって、ユーザの利便性が向上するという効果を得ることができる。
【００７３】
なお、例えばＨＤＭＩ（登録商標；High-Definition Multimedia Interface）などのように、映像音声出力に加えて、映像音声出力装置の制御を行うことができる出力機能を記録再生装置１００に設ければ、映像音声出力装置からの映像音声出力を確実に行うことができる。
【００７４】
また、記録再生装置１００から携帯端末３００に配信されている記録番組と配信経路（選択ＩＰネットワークの経路）とを関連付けた配信履歴情報を図示しない配信履歴情報蓄積部に蓄積するように構成してもよい。
【００７５】
そして、その構成において、記録再生装置１００は、距離計測部３０１ａで計測された装置端末間距離に基づいて記録再生装置１００と携帯端末３００とが一の室内に存在すると判定された場合に、上述の配信履歴情報に基づいて、上述の記録再生装置での再生を、携帯端末３００に配信されている記録番組の再生位置から行うように構成されてもよい。
【００７６】
このような構成によれば、記録再生装置１００と携帯端末３００とが一の室内に存在する場合に、記録再生装置１００側での高品質の記録番組の再生を、記録再生装置１００から第２のＩＰネットワークを介して携帯端末３００に配信されている記録番組の再生位置（配信位置）から行うことができる。つまり、リモート視聴されている番組の続きを、記録再生装置１００側にて視聴することができる。
【００７７】
＜変形例２＞
実施の形態１では、携帯端末３００が、記録再生装置１００と携帯端末３００との装置端末間距離（位置関係）に関する判定を行ったり、装置端末間距離を計測したりした。しかしこれに限ったものではなく、記録再生装置１００が、記録再生装置１００と携帯端末３００との装置端末間距離（位置関係）に関する判定を行ったり、装置端末間距離を計測したりしてもよい。そして、記録再生装置１００が、当該装置端末間距離を近距離無線通信によって携帯端末３００に送信し、携帯端末３００が当該装置端末間距離に基づいて、選択ＩＰネットワークを選択するように構成してもよい。
【００７８】
また、記録再生装置１００が、装置端末間距離を計測するだけでなく、当該装置端末間距離に基づいて、第１及び第２のＩＰネットワークのうち、記録番組の配信に用いるべき選択ＩＰネットワークを選択するように構成してもよい。さらにその構成において、記録再生装置１００が、携帯端末３００からバッファアンダーフローの状況を受信可能に構成されている場合には、記録再生装置１００が、複数の記録番組のうち、選択ＩＰネットワークで配信可能な最も高い品質の記録番組を、配信すべき記録番組として選択するように構成してもよい。
【００７９】
＜その他の変形例＞
実施の形態１では、記録再生装置１００と、映像音声出力装置とは別体である構成について説明したが、記録再生装置１００は、例えばテレビなどの映像音声出力装置に内蔵されてもよい。映像音声出力装置に内蔵した場合、記録再生装置１００は、他の映像音声出力装置などを制御することなく、番組再生を表示することが可能となり、映像音声出力を確実に行うことができる。
【００８０】
また、本実施の形態１では、記録再生装置１００が提供する再エンコード記録用パーシャルＴＳ１１１をたかだか１つであるとしたが、複数品質の再エンコード記録用パーシャルＴＳ１１１を提供できるようにしてもよい。この場合、携帯端末３００は、品質の高いものから低くなる順に再エンコード記録用パーシャルＴＳ１１１を要求することで、複数品質の再エンコード記録用パーシャルＴＳ１１１からなるべく品質が高い再エンコード記録用パーシャルＴＳ１１１を選択して再生することが可能となる。このように構成することで、選択されたＩＰネットワークの通信環境の中で、品質が高い記録番組のリモート視聴を提供することができる。
【００８１】
また、本実施の形態１では、ＩＰネットワークを選択した後、品質が高い記録用パーシャルＴＳ１０５から順に要求する例を示したが、これに限ったものではない。例えば、まず、品質が低い再エンコード記録用パーシャルＴＳ１１１に切換え、その後にＩＰネットワークの通信状況が改善した場合に、例えば十分なバッファリングがなされた時点で、品質が高い記録用パーシャルＴＳ１０５から順に要求し直すようにしてもよい。このように構成することで、ＩＰネットワークの選択を切換えないときでも、なるべく品質が高い番組の視聴を提供することができる。
【００８２】
なお、本発明は、その発明の範囲内において、実施の形態を適宜、変形、省略することが可能である。
【符号の説明】
【００８３】
１００  記録再生装置、１４１，３０３  近距離無線通信部、２００  インターネット、２０１  家庭内ネットワーク、３００  携帯端末、３０１ａ  距離計測部、３０１ｂ  選択部。
【図１】
0006425590.tif 000002
【図２】
0006425590.tif 000003